(57)【要約】【課題】ユーザが表示画面を作成する手間を省くことができる表示装置を提供する。【解決手段】メモリ１３は、機器インタフェース１１に接続可能な複数種類の外部機器２の各々に対応付けて設定された複数の画面構成情報を予め記憶している。表示制御部１４１は、機器インタフェース１１に外部機器２が接続された際、接続された外部機器２に対応する画面構成情報をメモリ１３から読み出し、この画面構成情報を適用して表示部１２１を制御する。つまり、表示制御部１４１は、プリセットデータとしてメモリ１３に予め記憶された複数の画面構成情報のうち、実際に機器インタフェース１１に接続された外部機器２に対応する画面構成情報に従って、画面表示を行う。【選択図】図１
2013045425.tif 000002
【特許請求の範囲】
【請求項１】
外部機器を接続する機器インタフェースと、情報を表示する表示部と、ユーザからの操作入力を受け付ける操作部と、前記外部機器の種類によって異なる画面構成情報に従って前記表示部および前記操作部を制御して、前記外部機器の動作状態および前記外部機器を操作するための情報を前記表示部に表示し、前記操作部の操作に応じて前記外部機器を制御する制御部とを有した装置本体と、
前記機器インタフェースに接続可能な複数種類の外部機器の各々に対応付けて設定された複数の前記画面構成情報を予め記憶するメモリとを備え、
前記制御部は、前記機器インタフェースに接続されている前記外部機器に対応して前記メモリから選択された前記画面構成情報を適用して前記表示部および前記操作部を制御することを特徴とする表示装置。
【請求項２】
前記メモリは、前記装置本体に内蔵された内部メモリからなることを特徴とする請求項１に記載の表示装置。
【請求項３】
前記装置本体は、画面作成ツールで作成された前記画面構成情報を前記メモリに書き込むメモリ書込部を有することを特徴とする請求項２に記載の表示装置。
【請求項４】
前記メモリは、前記装置本体に対して着脱可能な外部メモリからなることを特徴とする請求項１に記載の表示装置。
【請求項５】
前記装置本体は、前記機器インタフェースに接続可能な前記複数種類の外部機器の中から前記機器インタフェースに接続されている前記外部機器の種類を識別する機器識別部を有し、
前記制御部は、前記機器インタフェースに前記外部機器が接続されると、前記機器識別部での識別結果に基づいて前記機器インタフェースに接続された前記外部機器を特定し、当該外部機器に対応する前記画面構成情報を自動的に読み出すことを特徴とする請求項１ないし請求項４のいずれか１項に記載の表示装置。
【請求項６】
前記制御部は、前記機器インタフェースに前記外部機器が接続されると、前記機器インタフェースに接続可能な前記複数種類の外部機器のリストを表す候補一覧画面を前記表示部に表示し、当該候補一覧画面が表示された状態で前記操作部が受けた操作に応じて前記機器インタフェースに接続された前記外部機器を特定し、当該外部機器に対応する前記画面構成情報を読み出すことを特徴とする請求項１ないし請求項４のいずれか１項に記載の表示装置。
【請求項７】
前記制御部は、対応する画面構成情報が前記メモリに記憶されていない前記外部機器が前記機器インタフェースに接続された場合、当該外部機器から前記機器インタフェース経由で取得した画面構成情報を適用して前記表示部および前記操作部を制御することを特徴とする請求項１ないし請求項６のいずれか１項に記載の表示装置。
【請求項８】
前記制御部は、対応する画面構成情報が前記メモリに記憶されていない前記外部機器が前記機器インタフェースに接続された場合、当該外部機器から前記機器インタフェース経由で取得したデータを予め決められている専用のプロトコルで前記表示部に表示することを特徴とする請求項１ないし請求項６のいずれか１項に記載の表示装置。
【請求項９】
前記装置本体は、ネットワークに接続されるネットワーク通信部を有し、
前記制御部は、対応する画面構成情報が前記メモリに記憶されていない前記外部機器が前記機器インタフェースに接続された場合、当該外部機器に対応する画面構成情報を前記ネットワーク上のサーバから前記ネットワーク通信部経由で取得し、当該画面構成情報を適用して前記表示部および前記操作部を制御することを特徴とする請求項１ないし請求項６のいずれか１項に記載の表示装置。
【請求項１０】
前記機器インタフェースは前記外部機器を同時に複数台接続可能であって、
前記制御部は、前記機器インタフェースに接続されている複数台の前記外部機器の中から前記表示部での表示対象とする前記外部機器を択一的に選択し、前記表示対象としての前記外部機器に対応する前記画面構成情報を前記メモリから読み出し、当該画面構成情報を適用して前記表示部および前記操作部を制御することを特徴とする請求項１ないし請求項９のいずれか１項に記載の表示装置。
【請求項１１】
前記制御部は、前記機器インタフェースに接続されている複数台の前記外部機器の中から１台の前記外部機器を選択可能な選択画面を前記表示部に表示し、当該選択画面が表示された状態で前記操作部が受けた操作に応じて前記表示対象とする前記外部機器を選択することを特徴とする請求項１０に記載の表示装置。
【発明の詳細な説明】
【技術分野】
【０００１】
本発明は、外部機器を接続して使用される表示装置に関する。
【背景技術】
【０００２】
従来から、たとえばプログラマブルコントローラ（以下、「ＰＬＣ」という）を用いた制御システムにおいて、様々な出力機器（電磁弁やモータ等）を制御するため、表示装置としてのプログラマブル表示器が用いられている。この種の表示装置は、外部機器（出力機器やＰＬＣ）の状態を取得して表示部（ディスプレイ）に画面表示し、また、オペレータによる制御指示をタッチパネル等の手段によって外部機器へと伝達する（たとえば特許文献１参照）。
【０００３】
特許文献１に記載の表示装置（表示器）においては、通常の標準モードの他、表示部の表示画面をタッチパネル上で変更できるカスタマイズモードを含む動作モードで動作可能に構成されている。これにより、ユーザは、表示装置の表示画面を表示装置自身で変更することができる。
【先行技術文献】
【特許文献】
【０００４】
【特許文献１】特開２００７−２２６５２１号公報
【発明の概要】
【発明が解決しようとする課題】
【０００５】
ところで、上述したような表示装置では、接続される外部機器に合わせてユーザが自由に表示画面を作成できる反面、ユーザによっては表示画面を作成する作業を煩わしく感じる可能性もある。すなわち、たとえばインバータ、温度調節器、電力監視機器などのように、幾つかのパラメータを設定するだけで制御可能な外部機器が表示装置に接続される場合、ユーザにとっては、単純にパラメータの設定ができれば足りることがある。このような場合にまで表示画面を作成する必要があると、ユーザによっては表示画面の作成作業が煩わしいと感じることもある。
【０００６】
本発明は上記事由に鑑みて為されており、ユーザが表示画面を作成する手間を省くことができる表示装置を提供することを目的とする。
【課題を解決するための手段】
【０００７】
本発明の表示装置は、外部機器を接続する機器インタフェースと、情報を表示する表示部と、ユーザからの操作入力を受け付ける操作部と、前記外部機器の種類によって異なる画面構成情報に従って前記表示部および前記操作部を制御して、前記外部機器の動作状態および前記外部機器を操作するための情報を前記表示部に表示し、前記操作部の操作に応じて前記外部機器を制御する制御部とを有した装置本体と、前記機器インタフェースに接続可能な複数種類の外部機器の各々に対応付けて設定された複数の前記画面構成情報を予め記憶するメモリとを備え、前記制御部は、前記機器インタフェースに接続されている前記外部機器に対応して前記メモリから選択された前記画面構成情報を適用して前記表示部および前記操作部を制御することを特徴とする。
【０００８】
この表示装置において、前記メモリは、前記装置本体に内蔵された内部メモリからなることが望ましい。
【０００９】
この表示装置において、前記装置本体は、画面作成ツールで作成された前記画面構成情報を前記メモリに書き込むメモリ書込部を有することがより望ましい。
【００１０】
この表示装置において、前記メモリは、前記装置本体に対して着脱可能な外部メモリからなることがより望ましい。
【００１１】
この表示装置において、前記装置本体は、前記機器インタフェースに接続可能な前記複数種類の外部機器の中から前記機器インタフェースに接続されている前記外部機器の種類を識別する機器識別部を有し、前記制御部は、前記機器インタフェースに前記外部機器が接続されると、前記機器識別部での識別結果に基づいて前記機器インタフェースに接続された前記外部機器を特定し、当該外部機器に対応する前記画面構成情報を自動的に読み出すことがより望ましい。
【００１２】
この表示装置において、前記制御部は、前記機器インタフェースに前記外部機器が接続されると、前記機器インタフェースに接続可能な前記複数種類の外部機器のリストを表す候補一覧画面を前記表示部に表示し、当該候補一覧画面が表示された状態で前記操作部が受けた操作に応じて前記機器インタフェースに接続された前記外部機器を特定し、当該外部機器に対応する前記画面構成情報を読み出すことがより望ましい。
【００１３】
この表示装置において、前記制御部は、対応する画面構成情報が前記メモリに記憶されていない前記外部機器が前記機器インタフェースに接続された場合、当該外部機器から前記機器インタフェース経由で取得した画面構成情報を適用して前記表示部および前記操作部を制御することがより望ましい。
【００１４】
この表示装置において、前記制御部は、対応する画面構成情報が前記メモリに記憶されていない前記外部機器が前記機器インタフェースに接続された場合、当該外部機器から前記機器インタフェース経由で取得したデータを予め決められている専用のプロトコルで前記表示部に表示することがより望ましい。
【００１５】
この表示装置において、前記装置本体は、ネットワークに接続されるネットワーク通信部を有し、前記制御部は、対応する画面構成情報が前記メモリに記憶されていない前記外部機器が前記機器インタフェースに接続された場合、当該外部機器に対応する画面構成情報を前記ネットワーク上のサーバから前記ネットワーク通信部経由で取得し、当該画面構成情報を適用して前記表示部および前記操作部を制御することがより望ましい。
【００１６】
この表示装置において、前記機器インタフェースは前記外部機器を同時に複数台接続可能であって、前記制御部は、前記機器インタフェースに接続されている複数台の前記外部機器の中から前記表示部での表示対象とする前記外部機器を択一的に選択し、前記表示対象としての前記外部機器に対応する前記画面構成情報を前記メモリから読み出し、当該画面構成情報を適用して前記表示部および前記操作部を制御することがより望ましい。
【００１７】
この表示装置において、前記制御部は、前記機器インタフェースに接続されている複数台の前記外部機器の中から１台の前記外部機器を選択可能な選択画面を前記表示部に表示し、当該選択画面が表示された状態で前記操作部が受けた操作に応じて前記表示対象とする前記外部機器を選択することがより望ましい。
【発明の効果】
【００１８】
本発明は、制御部が機器インタフェースに接続されている外部機器に対応してメモリから選択された画面構成情報を適用して表示部および操作部を制御することにより、ユーザが表示画面を作成する手間を省くことができるという利点がある。
【図面の簡単な説明】
【００１９】
【図１】実施形態１に係る表示装置を含むシステムの構成を示す概略図である。
【図２】実施形態１に係る表示装置の表示部の表示例を示す図である。
【図３】実施形態１に係る表示装置の動作を示す説明図である。
【図４】実施形態１に係る表示装置の候補一覧画面の表示例を示す図である。
【図５】実施形態２に係る表示装置を含むシステムの構成を示す概略図である。
【図６】実施形態２に係る表示装置の選択画面の表示例を示す図である。
【発明を実施するための形態】
【００２０】
以下の実施形態では、誘導モータ駆動用のインバータや、ヒータ駆動用の温度調節器（温調器）や、各種のセンサなどの機器を外部機器として接続可能なプログラマブル表示器を、表示装置の例として説明するが、表示装置はプログラマブル表示器に限らない。
【００２１】
（実施形態１）
本実施形態の表示装置１は、図１に示すように、外部機器２を接続する機器インタフェース１１と、各種の情報の表示およびユーザによる操作の受付を行うタッチパネルディスプレイ１２とを装置本体１０に有している。
【００２２】
タッチパネルディスプレイ１２は、液晶ディスプレイからなり情報を表示する表示部１２１と、表示部１２１の表面上に積層された透明なシートからなりユーザからの操作入力を受け付ける操作部（タッチスイッチ）１２２とを具備している。タッチパネルディスプレイ１２は、たとえばテンキーや操作ボタンなどの図像（アイコン）が表示部１２１に表示された状態で、操作部１２２のうち各図像に対応する領域がユーザにタッチされると、各図像に対応した操作信号を出力する。つまり、タッチパネルディスプレイ１２は、表示部１２１に表示される各図像を操作子とする擬似的なスイッチとして機能する。
【００２３】
さらに、本実施形態の表示装置１は、メモリ１３と、各部の制御を行う制御部１４と、専用の画面作成ツール３に接続可能なツール通信部１５と、ネットワーク４に接続可能なネットワーク通信部１６とを装置本体１０に有している。ここでは制御部１４は、ＣＰＵ（Central Processing Unit）を主構成とし、メモリ１３内のプログラムに従って表示装置１の全体を制御する。
【００２４】
この制御部１４は、表示部１２１の表示内容を制御する表示制御部１４１と、操作部１２２からの操作信号を取得する入力監視部１４２と、外部機器２の制御を行う機器制御部１４３と、後述するメモリ書込部１４４および機器識別部１４５とを有している。
【００２５】
表示制御部１４１は、外部機器２から機器インタフェース１１経由で取得した外部機器２の動作状態と、テンキーや操作ボタンなどの図像からなり外部機器２を操作するための情報とを、タッチパネルディスプレイ１２の表示部１２１に表示する。たとえば外部機器２がインバータの場合、表示制御部１４１は、設定周波数や運転モード（正転、逆転）等の動作状態を表す情報と、設定周波数や運転モードを切り替える操作のための情報と表示部１２１に表示する。ここで、表示制御部１４１は、メモリ１３に格納されている画面構成情報に従ってこれらの情報を表示部１２１に表示するが、この点については後に詳しく説明する。
【００２６】
入力監視部１４２は、タッチパネルディスプレイ１２の操作部１２２からユーザの操作に応じた操作信号を取得する。このとき、入力監視部１４２は、操作部１２２がタッチされたか否かだけでなく、操作部１２２のうちのどの領域がタッチされたかについても操作信号から特定する。
【００２７】
機器制御部１４３は、入力監視部１４２が操作部１２２から取得した操作信号に応じて、機器インタフェース１１経由で外部機器２に制御信号を出力し、外部機器２を制御する。機器制御部１４３は、テンキーや操作ボタンなど外部機器２を操作するための情報が図像として表示部１２１に表示された状態で、操作部１２２のうち各図像に対応する領域がタッチされると、各図像に割り当てられた外部機器２の制御を実行する。
【００２８】
要するに、制御部１４は、画面構成情報に従って表示部１２１および制御部１２２を制御して、外部機器２の動作状態と外部機器２を操作するための情報とを表示部１２１に表示し、操作部１２２の操作に応じて外部機器２を制御する。言い換えれば、表示部１２１に表示される各情報には外部機器２の監視・操作のための機能が割り当てられており、操作の機能が割り当てられた情報（図像）がタッチされると、制御部１４は、この機能に従って外部機器２を制御する。したがって、ユーザは、表示装置１を用いて外部機器２の動作状態の監視と、外部機器２の操作との両方を実施することができる。
【００２９】
ところで、本実施形態においては、表示装置１は、１種類の外部機器２だけでなく複数種類の外部機器２に対応できるように、機器インタフェース１１に複数種類の外部機器２を接続可能に構成されている。すなわち、機器インタフェース１１は、インバータや温度調節器や各種のセンサなど、少なくとも２種類以上の外部機器２に対応している。
【００３０】
メモリ１３は、機器インタフェース１１に接続可能な複数種類の外部機器２の各々に対応付けて設定された複数の画面構成情報を予め記憶している。要するに、制御部１４が表示部１２１および制御部１２２を制御する際に使用する画面構成情報は、外部機器２の種類ごとに異なっており、メモリ１３は、各種の外部機器２に対応する画面構成情報を予め記憶している。
【００３１】
ここでいう画面構成情報は、外部機器２の動作状態および外部機器２の操作のための情報の画面上における配置（レイアウト）の他、各情報の表示の有無や、各情報を表す図像の形態などを含むデータである。さらに、画面構成情報は、外部機器２の操作のための情報への機能の割り当てや、外部機器２から取得した動作状態の表示形態（たとえば、そのまま表示するのか、統計処理を施してから表示するのか等）を決める情報も含んでいる。ここでは、機器インタフェース１１に接続可能な外部機器２のうち、少なくともインバータ、温度調節器、電力監視機器などのように幾つかのパラメータを設定するだけで制御可能な外部機器２に対応する画面構成情報は、プリセットデータとして予め記憶される。
【００３２】
本実施形態では、メモリ１３は装置本体１０に内蔵された内蔵メモリからなり、メモリ書込部１４４によって画面構成情報の書き込みが行われる。メモリ書込部１４４は、専用の画面作成ツール３で作成された画面構成情報をツール通信部１５経由で取得してメモリ１３に書き込む。画面作成ツール３を用いた画面構成情報の作成作業は、表示装置１の各種設定を行うメンテナンス業者によって実施され、表示装置１のユーザは、既に複数の画面構成情報がプリセットデータとしてメモリ１３に記憶された状態の表示装置１を使用する。なお、メモリ書込部１４４は制御部１４とは別に設けられていてもよい。
【００３３】
したがって、表示装置１のユーザにおいては、画面構成情報の作成作業が必要なく、表示装置１の導入後（図１に示すようなシステムの構築後）すぐに表示装置１を使用することが可能になる。ただし、ユーザは、対応するプリセットデータがない外部機器２を接続して表示装置１を使用する場合や、プリセットデータとは異なる画面構成情報の適用を希望する場合、画面作成ツール３を用いて自ら画面構成情報を作成しメモリ１３に書き込んでもよい。なお、画面作成ツール３は、パソコン（パーソナルコンピュータ）にて所定のプログラムを実行することにより実現される。
【００３４】
また、画面構成情報を記憶するメモリは、内蔵メモリに限らず、たとえばメモリカードなど装置本体１０に対して着脱可能な外部メモリ１７（図１参照）であってもよい。この場合、画像作成ツール３は、作成した画面構成情報をプリセットデータとして外部メモリ１７に直接書き込むことにより、表示装置１に接続することなく、プリセットデータ（画面構成情報）の登録を行うことができる。そのため、ユーザにおいては、表示装置１の導入後であっても、外部メモリ１７ごと交換することにより、プリセットデータとして記憶されている画面構成情報を簡単に更新することがきる。
【００３５】
ここにおいて、制御部１４は、機器インタフェース１１に外部機器２が接続された際、接続された外部機器２に対応する画面構成情報をメモリ１３から読み出し、この画面構成情報を適用して表示部１２１および操作部１２２を制御する。つまり、制御部１４は、プリセットデータとしてメモリ１３に予め記憶された複数の画面構成情報の中から、実際に機器インタフェース１１に接続された外部機器２に対応する画面構成情報を選択し、この画面構成情報に従って動作する。
【００３６】
たとえば、外部機器２としてインバータが機器インタフェース１１に接続されている場合、表示制御部１４１は、図２に示すように、この外部機器（インバータ）２に対応する画面構成情報に従って情報を表示部１２１に表示することになる。また、この場合、入力監視部１４２および機器制御部１４３は、この外部機器（インバータ）２に対応する画面構成情報に従って、操作部１２２の操作に応じた外部機器２の制御を行うことになる。図２では、外部機器２としてインバータが接続されている場合の表示部１２１の表示画面について、一例を（ａ）に示し他の例を（ｂ）に示している。
【００３７】
図２（ａ）に示す表示画面は、外部機器２の動作状態および外部機器２を操作するための情報を含んでいる。つまり、図２（ａ）では、表示５１が設定周波数、表示５２が運転モード、表示５３がアラームの有無を表し、操作ボタンの図像５４、回転つまみの図像５５が外部機器２の操作に用いられる。図２（ｂ）に示す表示画面は、文字および数字を用いて、外部機器２の動作状態を表している。
【００３８】
さらに本実施形態では、表示装置１は、機器インタフェース１１に接続された外部機器２を特定し、この外部機器２に対応する画面構成情報を制御部１４にて自動的に選択する（読み出す）機能を有している。すなわち、装置本体１０は、機器インタフェース１１に接続可能な複数種類の外部機器２の中から、実際に機器インタフェース１１に接続されている外部機器２の種類を機器識別部１４５にて自動的に識別する。制御部１４は、機器インタフェース１１に外部機器２が接続されると、機器識別部１４５での識別結果に基づいて機器インタフェース１１に接続された外部機器２を特定し、この外部機器２に対応する画面構成情報を自動的に読み出す。
【００３９】
より詳しく説明すると、機器識別部１４５は、機器インタフェース１１に外部機器２が接続されたときに、外部機器２に対して機器インタフェース１１経由で複数種類の通信コマンドを順次送信する。ここでいう通信コマンドは外部機器２の種類によって適合するコマンド（の機種コード）が異なり、外部機器２は、自身に適合する通信コマンドを受けたときのみ、機器識別部１４５にレスポンスを返す。機器識別部１４５は、外部機器２からのレスポンスの有無を監視し、その結果に基づいて外部機器２の種類を識別する。なお、機器識別部１４５は制御部１４とは別に設けられていてもよい。
【００４０】
次に、表示装置１が、機器インタフェース１１に接続された外部機器２を特定して、画面構成情報を自動的に読み出し画面表示等を行う際の動作について、図３を参照して簡単に説明する。
【００４１】
まず、表示装置１は、機器インタフェース１１に外部機器２が接続されたことをトリガとして、機器識別部１４５から外部機器２へ通信コマンドの送信を開始する（図３のＳ１）。このとき、機器識別部１４５は、外部機器２からのレスポンスの有無を監視し（Ｓ２）、レスポンスがなければ（Ｓ２：Ｎｏ）、他の外部機器２用の通信コマンドをセットして（Ｓ３）、再度、外部機器２へ通信コマンドを送信する（Ｓ１）。
【００４２】
一方、機器識別部１４５は、外部機器２からレスポンスがあると（Ｓ２：Ｙｅｓ）、直前に送った通信コマンドから、機器インタフェース１１に接続されている外部機器２の種類を特定する。それから、表示装置１は、特定された外部機器２に対応する画面構成情報を制御部１４にてメモリ１３から自動的に読み出し（Ｓ４）、この画面構成情報を適用して画面表示等を行う（Ｓ５）。
【００４３】
また、本実施形態の表示装置１は、対応する画面構成情報がメモリ１３に記憶されていない外部機器２が機器インタフェース１１に接続された場合にも動作できるように、たとえば以下に説明するような構成を採用している。
【００４４】
１つ目の構成として、制御部１４は、外部機器２から機器インタフェース１１経由で画面構成情報を取得し、取得した画面構成情報を適用して表示部１２１および制御部１２２を制御する。つまり、表示装置１は、対応する画面構成情報がメモリ１３に記憶されていない外部機器２が機器インタフェース１１に接続された場合、この外部機器２から画面構成情報を直接取得することによって動作する。この場合、表示装置１は、制御部１４が外部機器２から取得した画面構成情報を、この外部機器２に対応付けてメモリ書込部１４４にてメモリ１３に書き込んでから制御部１４に用いてもよいし、メモリ１３に書き込まずに直接制御部１４に適用してもよい。
【００４５】
また、この場合において、外部機器２が保持している画面構成情報は、たとえば画面作成ツール３によって作成され、外部機器２のメモリに書き込まれる。要するに、メンテナンス業者が画面作成ツール３で作成した画面構成情報は、一旦外部機器２に保持され、外部機器２から表示装置１に転送されることにより、表示装置１で使用可能になる。
【００４６】
２つ目の構成として、制御部１４は、外部機器２から機器インタフェース１１経由で取得したデータを予め決められている専用のプロトコルで表示部１２１に表示する。ここでいう専用のプロトコルは、外部機器２と表示装置１との間で予め定められており、制御部１４は、特定の画面構成情報を用いることなく画面表示を行う。この場合、表示装置１は、制御部１４が外部機器２から取得したデータを、この外部機器２に対応付けてメモリ書込部１４４にてメモリ１３に書き込んでから表示に用いてもよいし、メモリ１３に書き込まずに直接表示に用いてもよい。
【００４７】
３つ目の構成として、制御部１４は、外部機器２に対応する画面構成情報をネットワーク４上のサーバからネットワーク通信部１６経由で取得し、取得した画面構成情報を適用して表示部１２１および制御部１２２を制御する。図１の例では、インターネットなどのネットワーク４上にある上位コンピュータ６がサーバとして機能し、制御部１４は、この上位コンピュータ６から必要な画面構成情報を取得する。この場合、表示装置１は、制御部１４が上位コンピュータ６から取得した画面構成情報を、メモリ書込部１４４にてメモリ１３に書き込んでから制御部１４に用いてもよいし、メモリ１３に書き込まずに直接制御部１４に適用してもよい。なお、ここではネットワーク通信部１６は、ゲートウェイ７を介して上位コンピュータ６とイーサネット（登録商標）接続されており、上位コンピュータ６のアドレスは予めメモリ１３に登録されていてもよいしユーザによって入力されてもよい。
【００４８】
上記３つの構成のうちいずれかの構成を採用することで、表示装置１は、対応する画面構成情報がメモリ１３に記憶されていない外部機器２が機器インタフェース１１に接続された場合にも動作可能となる。これにより、表示装置１は、メモリ１３に記憶されているプリセットデータが古い場合でも、外部機器２や画面作成ツール３や上位コンピュータ６から最新の画面構成情報を入手することができ、種々の外部機器２に対応した表示や操作が可能となる。そのため、表示装置１のユーザにおいては、メモリ１３に記憶されているデータの更新の手間が省けるという利点がある。
【００４９】
なお、本実施形態の表示装置１は、外部機器２、画面作成ツール３、上位コンピュータ６と共に、機器制御システムを構築している。
【００５０】
以上説明した本実施形態の構成によれば、制御部１４は、機器インタフェース１１に外部機器２が接続された際、この外部機器２に対応する画面構成情報をメモリ１３から読み出し、この画面構成情報を適用して表示部１２１および操作部１２２を制御できる。したがって、表示装置１のユーザは、対応する画面構成情報がプリセットデータとしてメモリ１３に記憶された外部機器２に関しては、表示画面（画面構成情報）の作成作業が必要なく、表示装置１の導入後すぐに表示装置１を使用することが可能になる。すなわち、表示装置１は、少なくとも幾つかのパラメータを設定するだけで制御可能な外部機器２が表示装置１に接続される場合には、ユーザが表示画面を作成する手間を省くことができるという利点がある。
【００５１】
また、本実施形態では、画面構成情報が記憶されたメモリ１３は装置本体１０に内蔵された内蔵メモリからなるので、装置本体１０において、外部メモリからデータを読み出すためのメモリインタフェースを省略することが可能である。さらに、装置本体１０は、画面作成ツール３で作成された画面構成情報をメモリ１３に書き込むメモリ書込部１４４を有するので、ユーザは、必要に応じてメモリ１３内の画面構成情報の変更、追加を行うことができる。
【００５２】
さらにまた、本実施形態の表示装置１は、接続されている外部機器２を機器識別部１４５にて識別し、この外部機器２に対応する画面構成情報を制御部１４が自動的に読み出して使用するので、ユーザにおいては、画面構成情報を選択する必要もない。つまり、表示装置１は、外部機器２が接続されると、自動的にこの外部機器２に対応する画面構成情報をメモリ１３から読み出して制御部１４に適用するので、ユーザにおいては、接続した外部機器２を選択する手間が掛からないという利点がある。したがって、たとえばメモリ１３に登録されている外部機器２の名称と、ユーザの認識している外部機器２の名称とが相違する場合でも、確実に外部機器２に対応した画面構成情報が適用されることになる。
【００５３】
ところで、表示装置１は、上述したように機器識別部１４５が機器インタフェース１１に接続された外部機器２を自動的に識別する構成に限らず、機器インタフェース１１に接続された外部機器２を手動で選択可能な構成であってもよい。この場合、制御部１４は、機器インタフェース１１に外部機器２が接続されるだけで自動的に画面構成情報を読み出すのではなく、ユーザが外部機器２を手動で選択するのを持って、画面構成情報を読み出すことになる。
【００５４】
すなわち、表示制御部１４１は、機器インタフェース１１に外部機器２が接続されると、図４に示すように、機器インタフェース１１に接続可能な複数種類の外部機器２の名称のリスト（一覧）を表す候補一覧画面８を表示部１２１に表示する。制御部１４は、この候補一覧画面８が表示された状態で、操作部１２２が受けた操作に応じて、機器インタフェース１１に接続されている外部機器２を特定し、この外部機器２に対応する画面構成情報を読み出す。
【００５５】
図４の例では、候補一覧画面８は、項目８１の「インバータＡ」、項目８２の「インバータＢ」、項目８３の「温調器Ｘ」、項目８４の「温調器Ｙ」、項目８５の「センサＷ」を接続可能な外部機器２として表示している。この例において、候補一覧画面８のうち「インバータＢ」の項目８２がタッチされたことを入力監視部１４２が検知すると、制御部１４は、機器インタフェース１１に「インバータＢ」が接続されていると判断する。これにより、制御部１４は、「インバータＢ」に対応する画面構成情報をメモリ１３から読み出し、この画面構成情報を適用して表示部１２１および操作部１２２を制御する。
【００５６】
表示装置１は、このように接続された外部機器２をユーザが手動で選択できる構成では、機器識別部１４５での識別に対応していない外部機器２であっても、この外部機器２に対応する画面構成情報を制御部１４に適用することができる。
【００５７】
（実施形態２）
本実施形態の表示装置１は、図５に示すように、機器インタフェース１１が外部機器２を同時に複数台接続可能な点で実施形態１の表示装置１と相違する。以下、実施形態１と同様の構成については共通の符号を付して適宜説明を省略する。
【００５８】
図５の例では、機器インタフェース１１は、インバータからなる外部機器２１、温調器からなる外部機器２２、電力監視機器からなる外部機器２Ｎ（以下、各々を区別しないときにはまとめて「外部機器２」という）と接続されている。ただし、機器インタフェース１１は、最大接続台数（たとえば３１台）までの範囲であれば、接続する外部機器２の台数を自由に変更可能である。
【００５９】
制御部１４は、機器インタフェース１１に接続されている複数台の外部機器２の中から表示部１２１での表示対象とする外部機器２を択一的に選択し、表示対象としての外部機器２に対応する画面構成情報を適用して表示部１２１および操作部１２２を制御する。すなわち、表示装置１は、機器インタフェース１１に接続されている複数台の外部機器２について、表示対象とする外部機器２を切り替えながら、１台ずつ情報の表示を行っている。そのため、制御部１４は、現在、表示対象として選択されている外部機器２に対応する画面構成情報で画面表示等を行うように、表示対象が変わる度に、表示対象たる外部機器２に対応する画面構成情報をメモリ１３から読み出す。
【００６０】
ここで、制御部１４は、図６に例示するような選択画面９を表示部１２１に表示し、この状態で操作部１２２が受けた操作に応じて、表示対象とする外部機器２を選択する。図６では、選択画面９の一例を（ａ）に示し他の例を（ｂ）に示している。
【００６１】
図６（ａ）に示す選択画面９は、機器インタフェース１１に接続されている外部機器２の各々に割り当てられている号機番号を指定するための画面である。なお、外部機器２１には号機番号「Ｎｏ．１」が割り当てられ、外部機器２２には号機番号「Ｎｏ．２」が割り当てられ、外部機器２Ｎには号機番号「Ｎｏ．Ｎ」が割り当てられていると仮定する。図６（ａ）では、号機番号を入力するためのテンキーの図像９１、号機番号の取消・決定操作のための操作ボタンの図像９２、入力された号機番号の表示９３を含んでいる。この例において、たとえば号機番号として「Ｎｏ．１」が指定されると、制御部１４は、外部機器２１を表示対象とし、外部機器２１に対応する画面構成情報を適用して表示部１２１および操作部１２２を制御する。
【００６２】
また、図６（ｂ）に示す選択画面９は、機器インタフェース１１に接続されている複数台の外部機器２の名称のリスト（一覧）を表す画面である。図６（ｂ）の例では、選択画面９は、項目９４の「インバータ」、項目９５の「温調器」、項目９６の「電力モニタ」を接続中の外部機器２として表示している。この例においては、たとえば選択画面９における「温調器」の項目９５がタッチされたことを入力監視部１４２が検知すると、制御部１４は、外部機器２２を表示対象とし、外部機器２２に対応する画面構成情報を適用して表示部１２１および操作部１２２を制御する。
【００６３】
表示制御部１４１は、表示装置１の電源投入時、並びに操作部１２２に対して所定の操作が為されたときに、上述したような選択画面９を表示部１２１に表示する。外部機器２の号機番号や名称は、ユーザが手動で登録してもよいし、機器識別部１４５が外部機器２との通信により外部機器２から取得することで自動的に登録されるようにしてもよい。
【００６４】
以上説明した本実施形態の構成によれば、制御部１４は、機器インタフェース１１に外部機器２が同時に複数台接続された場合でも、表示対象とする外部機器２を択一的に選択し、この外部機器２に対応する画面構成情報を適用することができる。しかも、制御部１４は、機器インタフェース１１に接続されている複数台の外部機器２の中から１台の外部機器２を選択可能な選択画面９を表示部１２１に表示し、この状態で操作部１２２が受けた操作に応じて表示対象とする外部機器２を選択する。したがって、ユーザは、表示対象とする外部機器２を、選択画面９において任意に選択することができる。さらに、図６（ｂ）に例示したように、選択画面９が、外部機器２の名称のリストを表す場合には、ユーザは、各外部機器２に割り当てられた号機番号を把握していなくても、表示対象とする外部機器２を容易に選択できるという利点がある。
【００６５】
その他の構成および機能は実施形態１と同様である。
【符号の説明】
【００６６】
１  表示装置
２  外部機器
３  画面作成ツール
４  ネットワーク
１０  装置本体
１１  機器インタフェース
１３  メモリ
１４  制御部
１６  ネットワーク通信部
１７  外部メモリ
１２１  表示部
１２２  操作部
１４１  表示制御部
１４５  機器識別部
【図１】
2013045425.tif 000003
【図２】
2013045425.tif 000004
【図３】
2013045425.tif 000005
【図４】
2013045425.tif 000006
【図５】
2013045425.tif 000007
【図６】
2013045425.tif 000008